(57)【要約】      （修正有）【課題】ＬＡＮ等のネットワークに接続されたコンテンツにアクセスする際に、ネットワークに接続されたコンテンツへのアクセス時間を低減する。【解決手段】電子機器７０００は、複数の蓄積装置１０３〜１０５に蓄積されたコンテンツをリスト表示可能にするデータであるコンテンツリストデータを、コンテンツ管理サーバ１００から受信し、コンテンツリストを作成して出力するコンテンツリスト出力部を備える。また、前記コンテンツリストを用いてコンテンツの指定を可能にするコンテンツ指定部を備える。また、第１のコンテンツが指定された場合に、前記指定された第１のコンテンツのＵＲＩを特定するＵＲＩ特定部を備える。また、前記特定されたＵＲＩに対して前記第１のコンテンツの配信を要求する配信要求部を備える。【選択図】図１
2013009273.tif 000002
【特許請求の範囲】
【請求項１】
複数の蓄積装置に蓄積されたコンテンツをリスト表示可能にするデータであるコンテンツリストデータを受信し、コンテンツリストを作成して出力するコンテンツリスト出力部と、
前記コンテンツリストを用いてコンテンツの指定を可能にするコンテンツ指定部と、
第１のコンテンツが指定された場合に、前記指定された第１のコンテンツのＵＲＩを特定するＵＲＩ特定部と、
前記特定されたＵＲＩに対して前記第１のコンテンツの配信を要求する配信要求部を備える電子機器。
【請求項２】
前記配信要求した第１のコンテンツを再生するよう指示する再生指示部を備える請求項１に記載の電子機器。
【請求項３】
前記コンテンツリストデータは、前記複数の蓄積装置に接続されるサーバから送信される請求項１に記載の電子機器。
【請求項４】
前記複数の蓄積装置は、コンテンツの蓄積情報を前記サーバに送信する請求項３に記載の電子機器。
【請求項５】
前記コンテンツの蓄積情報は、前記複数の蓄積装置においてコンテンツの蓄積状況に変更があった場合に更新される請求項４に記載の電子機器。
【請求項６】
前記コンテンツは、著作権保護コンテンツであるかを検出する検出手段を備え、著作権保護コンテンツであると検出された場合は認証処理を行う請求項１に記載の電子機器。
【請求項７】
前記コンテンツリストデータの送信を要求する送信要求部を備える請求項１に記載の電子機器。
【請求項８】
前記複数の蓄積装置は、前記サーバに登録される請求項３に記載の電子機器。
【請求項９】
前記ＵＲＩの特定にｕｕｉｄが用いられる請求項１に記載の電子機器。
【請求項１０】
複数の蓄積装置に蓄積されたコンテンツをリスト表示可能にするデータであるコンテンツリストデータを受信し、コンテンツリストを作成して出力するステップと、
前記コンテンツリストを用いてコンテンツの指定を可能にするステップと、
第１のコンテンツが指定された場合に、前記指定された第１のコンテンツのＵＲＩを特定するステップと、
前記特定されたＵＲＩに対して前記第１のコンテンツの配信を要求するステップを備える電子機器の制御方法。
【請求項１１】
複数の蓄積装置に蓄積されたコンテンツをリスト表示可能にするデータであるコンテンツリストデータを受信し、コンテンツリストを作成して出力するステップと、
前記コンテンツリストを用いてコンテンツの指定を可能にするステップと、
第１のコンテンツが指定された場合に、前記指定された第１のコンテンツのＵＲＩを特定するステップと、
前記特定されたＵＲＩに対して前記第１のコンテンツの配信を要求するステップを備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、施設内ネットワーク、例えば、ＬＡＮ（Ｌｏｃａｌ  Ａｒｅａ  Ｎｅｔｗｏｒｋ、ローカル・エリア・ネットワーク）等のネットワークが普及し、複数の蓄積装置を接続することが可能になっている。
【０００３】
また、近年、電子機器（携帯情報端末）が普及し、上記ネットワークに接続された複数の蓄積装置の映像コンテンツ（コンテンツ）にアクセスすることが可能になっている。
【０００４】
しかし、上記ネットワークに接続されたコンテンツにアクセスする際に、多くの時間を要してしまうという問題があった。
このため、ネットワークに接続されたコンテンツへのアクセス時間を低減することが課題になっていた。
【先行技術文献】
【特許文献】
【０００５】
【特許文献１】特開２００８−２８９４７号公報
【発明の概要】
【発明が解決しようとする課題】
【０００６】
ＬＡＮ等のネットワークに接続されたコンテンツにアクセスする際に、多くの時間を要してしまうという問題があった。
このため、ネットワークに接続されたコンテンツへのアクセス時間を低減することが課題になっていた。
【課題を解決するための手段】
【０００７】
実施形態の電子機器は、複数の蓄積装置に蓄積されたコンテンツをリスト表示可能にするデータであるコンテンツリストデータを受信し、コンテンツリストを作成して出力するコンテンツリスト出力部を備える。
【０００８】
また、前記コンテンツリストを用いてコンテンツの指定を可能にするコンテンツ指定部を備える。
また、第１のコンテンツが指定された場合に、前記指定された第１のコンテンツのＵＲＩを特定するＵＲＩ特定部を備える。
また、前記特定されたＵＲＩに対して前記第１のコンテンツの配信を要求する配信要求部を備える。
【図面の簡単な説明】
【０００９】
【図１】実施形態に係わる電子機器を用いるコンテンツアクセスシステムの一例を示す図。
【図２】実施形態に係わる電子機器で用いられるコンテンツリストデータの一部を示す図。
【図３】実施形態に係わる電子機器で用いられるコンテンツリストデータの残りの一部を示す図。
【図４】実施形態に係わる電子機器で特定される指定コンテンツのＵＲＩの一例を示す図。
【図５】実施形態に係わる電子機器とＬＡＮ接続されるコンテンツ蓄積装置の構成を示すブロック図。
【図６】実施形態に係わる電子機器で作成され、映像表示部に表示されるコンテンツリストの一例を示す図。
【図７】実施形態に係わる電子機器に指示された、映像表示部に表示される指定コンテンツの再生画面の一例を示す図。
【図８】実施形態に係わるコンテンツ管理サーバに、ＬＡＮ接続された複数のコンテンツ蓄積装置に蓄積されたコンテンツのコンテンツリストデータが保存されるようすを説明するフローチャート。
【図９】実施形態に係わる電子機器の動作を説明するフローチャート。
【発明を実施するための形態】
【００１０】
以下、図面を参照し、実施の形態を説明する。
図１は、実施形態に係わる電子機器を用いるコンテンツアクセスシステムの一例を示す図である。
７０００は、例えば、スマートフォンやスレート端末等の携帯端末である。１０１は映像出力デバイスであり、例えば、テレビである。１０２はルータである。１０３はコンテンツが蓄積されるＢＤレコーダ等のコンテンツ蓄積装置Ａ、１０４は同じくコンテンツが蓄積されるＢＤレコーダ等のコンテンツ蓄積装置Ｂ、１０５は同じくコンテンツが蓄積されるＢＤレコーダ等のコンテンツ蓄積装置Ｃである。
【００１１】
１００は、例えば、上記複数の蓄積装置または録画再生装置（コンテンツ蓄積装置Ａ１０３、コンテンツ蓄積装置Ｂ１０４、コンテンツ蓄積装置Ｃ１０５）とインターネットを介して接続され、複数の蓄積装置からコンテンツの蓄積情報が送信されるコンテンツ管理サーバである。
【００１２】
このコンテンツ管理サーバは、携帯端末７０００、ルータ１０２ともインターネットを介して接続される。
例えば、ある宅内またはある施設内において、ユーザは携帯端末（スマートフォン、スレート端末）７０００を所持している。その携帯端末７０００はルータ１０２等を介したネットワーク上の蓄積装置（録画再生装置、コンテンツ蓄積装置Ａ１０３、コンテンツ蓄積装置Ｂ１０４、コンテンツ蓄積装置Ｃ１０５）や映像出力デバイス１０１とリンクすることが可能な状況にある。また、携帯端末７０００や蓄積装置（録画再生装置、コンテンツ蓄積装置Ａ１０３、コンテンツ蓄積装置Ｂ１０４、コンテンツ蓄積装置Ｃ１０５）は、ルータ１０２を介してインターネット上のコンテンツリスト管理サーバ１００にアクセスすることが可能な状況にある。
【００１３】
この実施の形態においては、上記複数の蓄積装置（録画再生装置、コンテンツ蓄積装置Ａ１０３、コンテンツ蓄積装置Ｂ１０４、コンテンツ蓄積装置Ｃ１０５）に蓄積されているコンテンツを、コンテンツリスト管理サーバ１００で一元管理することによって、ユーザがどの蓄積装置（録画再生装置、コンテンツ蓄積装置Ａ１０３、コンテンツ蓄積装置Ｂ１０４、コンテンツ蓄積装置Ｃ１０５）にどのコンテンツが記録されているかを特に気にすることなく、携帯端末７０００または映像出力デバイス１０１でコンテンツを閲覧できるようにしたものである。
【００１４】
この実施の形態においては、上記複数の蓄積装置が例えばＬＡＮ接続され、ＬＡＮ接続可能な電子機器は、これらの複数の蓄積装置に蓄積された複数のコンテンツにアクセスすることが可能である。
【００１５】
ここでは、図１に示すように、携帯端末７０００、映像出力デバイス１０１、コンテンツ蓄積装置Ａ１０３、コンテンツ蓄積装置Ｂ１０４、コンテンツ蓄積装置Ｃ１０５は、ルータ１０２を介してＬＡＮ接続される。
【００１６】
そして、上記コンテンツ管理サーバ１００は、このシステムにおけるコンテンツの蓄積情報各蓄積装置から受信し、コンテンツリストデータ（図２、図３）を作成し、保存する。
【００１７】
また、コンテンツリストデータ（図２、図３）は、上記複数の蓄積装置において、コンテンツの蓄積状況に変更があった場合には、適宜、更新される。
そして、後述するように、コンテンツ管理サーバ１００に保存されるコンテンツリストデータは、携帯端末７０００のコンテンツリスト取得要求に応じ、携帯端末７０００に送信される。
【００１８】
携帯端末７０００は、コンテンツ管理サーバ１００から送信されたコンテンツリストデータを受信し、コンテンツリストを作成して出力する。このコンテンツリストは、携帯端末７０００の映像表示部にリスト表示可能である。
【００１９】
ユーザは、このコンテンツリストを用いて所望のコンテンツを指定することが可能である。
例えば、ユーザが、コンテンツリストから第１のコンテンツを指定した場合には、携帯端末７０００は、指定された第１のコンテンツのＵＲＩを特定する。
また、携帯端末７０００は、この特定されたＵＲＩに対して第１のコンテンツの配信を要求する。
また、携帯端末７０００は、配信要求した第１のコンテンツを再生し、携帯端末７０００や映像出力デバイス１０１の映像表示部に表示するよう指示する。
図２は、実施形態に係わる電子機器で用いられるコンテンツリストデータの一部を示す図である。
上記のように、コンテンツ管理サーバ１００は、複数の蓄積装置（ここでは、コンテンツ蓄積装置Ａ１０３、コンテンツ蓄積装置Ｂ１０４、コンテンツ蓄積装置Ｃ１０５）とインターネットを介して接続され、これらの複数の蓄積装置からコンテンツの蓄積情報を受信し、このコンテンツリストデータ１００を作成、更新し、保存する。
【００２０】
ここでは、このコンテンツリストデータ１１０のテーブルを示し、その一部を示している。
１２０は、コンテンツリストデータ１１０のコンテンツを整理する「番号」である。１２１は、コンテンツの「タイトル名」である。１２２は、コンテンツの「ジャンル」、１２３は、コンテンツを録画した「録画日時」、１２４は、コンテンツを録画した際の録画「形式」、１２５は、コンテンツを録画した「蓄積装置（録画機器）名」である。
【００２１】
例えば、１４０は、コンテンツの「番号」は２、「タイトル名」はプロ野球ニュース、「ジャンル」はスポーツ、「録画日時」は7/13（日）１８：００〜２１：００、録画「形式」はＭＰＥＧ−４ＡＶＣ、「蓄積装置（録画機器）名」はコンテンツ蓄積装置Ａである。
【００２２】
図３は、実施形態に係わる電子機器で用いられるコンテンツリストデータの残りの一部を示す図である。
ここでは、このコンテンツリストデータ１１０のテーブルの上記残りの一部を示している。
１２０は、上記のように、コンテンツリストデータ１１０のコンテンツを整理する「番号」である。１２６は、コンテンツの「ｕｕｉｄ」である。１２７は、コンテンツの「シリアル番号（Serial No.）」、１２８は「ｈｔｔｐポート」、１２９は「ＡＫＥポート」である。
【００２３】
例えば、１４０は、コンテンツの「番号」は２、「ｕｕｉｄ」は6bffaf56-7af9-4d1a-a268-6195ca3c1de9、「シリアル番号（Serial No.）」は００３Ａ、「ｈｔｔｐポート」は２００８０、「ＡＫＥポート」は３００００である。
【００２４】
すなわち、この実施の形態においては、コンテンツリストデータ１１０に、この図３に示す「ｕｕｉｄ」１２６、「シリアル番号（Serial No.）」１２７、「ｈｔｔｐポート」１２８、「ＡＫＥポート」１２９を備えている。
【００２５】
「ｕｕｉｄ」１２６を構成する理由は、例えば、ネットワーク上に同じ名前で登録された機器が存在した場合に、機器名では該当機器を特定することができないため、これを防止するためである。「ｕｕｉｄ」１２６は、機器固有のＩＤであるため、一意に特定できる。なお、他の実施形態として、「ｕｕｉｄ」１２６の代わりにＭＡＣアドレスなどの機器固有の情報に置き換えてもよい。
【００２６】
「シリアル番号（Serial No.）」１２７を構成する理由は、例えば、該当コンテンツのＵＲＩを事前に特定させるためである。例えば、ひとつの蓄積装置内で固有のシリアル番号を各コンテンツに割り当て、そのシリアル番号をＵＲＩとする。そして、そのシリアル番号をコンテンツリストデータ１１０のメタ情報に構成することによりＵＲＩを特定することが可能になる。
【００２７】
「ｈｔｔｐポート」１２８を構成する理由は、例えば、「ｈｔｔｐ  ｇｅｔ」にてコンテンツを取得する際に必要となるためである。一般に、ＵＲＩはＩＰアドレス、ポート番号、シリアル番号（Serial No.）で構成されるため、必要である。
【００２８】
「ＡＫＥポート」１２９を構成する理由は、著作権保護コンテンツを取得する際に必要なＡＫＥ処理のポート番号が事前に判明している必要があるためである。
この実施の形態においては、上記４つの情報（「ｕｕｉｄ」１２６、「シリアル番号（Serial No.）」１２７、「ｈｔｔｐポート」１２８、「ＡＫＥポート」１２９）を構成することにより、ＵＲＩを早く特定することが可能になる。
【００２９】
また、著作権保護コンテンツの場合でも事前にＡＫＥポート番号が特定できているためコンテンツを早く再生することが可能となる。
図４は、実施形態に係わる電子機器で特定される指定コンテンツのＵＲＩの一例を示す図である。
この実施の形態においては、上記のように、携帯端末７０００は、ユーザがコンテンツリストから指定したコンテンツ（例えば、第１のコンテンツ）のＵＲＩを特定する。
【００３０】
ここでは、上記図２、図３に示す１４０のコンテンツがユーザから指定されている。
そして、ユーザに指定されたコンテンツのＵＲＩの特定は、例えば、次のように行なう。
１４１はＩＰアドレスである。ここでは、「１９２．１６８．１１．４」である。このＩＰアドレス１４１は、上記「ｕｕｉｄ」１２６から特定される。
ここで、「ｕｕｉｄ」の説明をする。「ｕｕｉｄ」は、Universally Unique Identifierの略であり、汎用一意識別子と呼ばれる。「ｕｕｉｄ」は、Open Software Foundation (OSF)が標準化した、一意に識別するための識別子である。「ｕｕｉｄ」は、分散システム上でどこかが統制を取らずとも、一意に特定可能な識別子の作成を目的としており、重複や偶然の一致が起こりえないと確信して用いることができる。「ｕｕｉｄ」は１６バイトの数値で表され、例えば、「550e8400-e29b-41d4-a716-446655440000」のように表現される。
【００３１】
また、１４２は、上記１２８のｈｔｔｐポート番号である。ここでは、１４０のコンテンツのｈｔｔｐポート番号１２８は２００８０である（図３）。
また、１４３は、上記１２７のシリアル番号（Serial No.）である。ここでは、１４０のコンテンツのシリアル番号（Serial No.）１２７は００３Ａである（図３）。
【００３２】
この実施の形態においては、このように、上記ユーザに指定されたコンテンツ１４０のＵＲＩは、例えば、「ｈｔｔｐ：／／１９２．１６８．１１．４：２００８０／００３Ａ」と特定される。
【００３３】
また、「ＡＫＥポート」１２９は、後述するように、著作権保護コンテンツの検出やＡＫＥ（認証）処理に用いられる。
このように、この実施の形態においては、コンテンツリストデータ１１０に、上記図３に示す「ｕｕｉｄ」１２６、「シリアル番号（Serial No.）」１２７、「ｈｔｔｐポート」１２８、「ＡＫＥポート」１２９を備えている。
【００３４】
これにより、この実施の形態は、コンテンツにアクセスするＵＲＩの特定時間を低減することが可能になり、ユーザの利便性を向上させることが可能になる。
また、記録容量の増加などにより、近年の蓄積装置は、蓄積されるコンテンツ（記録コンテンツ）の数が膨大になる傾向にある。例えば、このような、膨大な数のコンテンツに逐次ブラウジングすると、ブラウジングに要する時間は上記コンテンツ数に依存すため長時間を要することになる。
【００３５】
しかし、このように、コンテンツのＵＲＩの特定時間を低減することで、ユーザは、例えば、上記複数の蓄積装置（コンテンツ蓄積装置Ａ１０３、コンテンツ蓄積装置Ｂ１０４、コンテンツ蓄積装置Ｃ１０５）を特に気にすることなく、複数の蓄積装置に蓄積されたコンテンツに、早く、アクセスすることが可能となる。
【００３６】
また、上記蓄積装置（コンテンツ蓄積装置Ａ１０３、コンテンツ蓄積装置Ｂ１０４、コンテンツ蓄積装置Ｃ１０５）が動作中に上記ブラウジングが実行されると、蓄積装置の負担になる。
【００３７】
しかし、この実施の形態においては、上記のように構成することにより、上記蓄積装置の負担を軽減することも可能になる。
図５は、実施形態に係わる電子機器とＬＡＮ接続されるコンテンツ蓄積装置の構成を示すブロック図である。
ここでは、上記コンテンツ蓄積装置Ａ１０３を例にとり、説明するが、コンテンツ蓄積装置Ｂ１０４、コンテンツ蓄積装置Ｃ１０５も同様の構成にすることも可能である。
【００３８】
２はアンテナ、３ａはチューナ、４は信号処理部、５は映像処理部、６は音声処理部、１０はバスである。
１１は制御部、１２はＣＰＵ、１３はＲＡＭ、１４はＲＯＭ、１５はフラッシュメモリ、１６は録画再生部（ＢＤ、ＨＤＤ）である。
１７はＨＤＭＩ端子、１９は操作受信部、２０は操作機器（リモートコントローラ）である。
２１は送受信部、２６はインターネットである。
２５ａ、２５ｂは放送番組を放送する放送局である。放送番組は放送局２５ａ、２５ｂ等、複数の放送局から複数の番組が放送される。
アンテナ２はコンテンツ蓄積装置Ａ（ＢＤレコーダ）１０３に接続される。３ａはチューナである。チューナはここでは単数であるが、単数でも良いし、複数でも良い。
【００３９】
複数の放送局２５ａ、２５ｂ等から放送波の形態で放送された複数の番組（放送信号）が、アンテナ２で受信され、チューナ３ａに送信される。チューナ３ａでは、番組（放送信号）を選局受信し、信号処理部４へ出力する。
【００４０】
ここでは、制御部１１のＭＰＵ１２は、チューナ３ａ、信号処理部４、映像処理部５、音声処理部６、ＲＡＭ１３、ＲＯＭ１４、フラッシュメモリ１５、録画再生部（ＢＤ、ＨＤＤ）１６、ＨＤＭＩ端子１７、操作受信部１９、操作機器（リモートコントローラ）２０、送受信部２１と、それぞれ、バス１０を介して接続され、これらを制御する。
【００４１】
信号処理部４は、チューナ３ａで選局され、番組に係る映像信号にデコード処理を施し、トランスポートストリーム（ＴＳ）のフォーマットで、録画再生部（ＢＤ、ＨＤＤ）１６へ映像信号を出力する。
【００４２】
録画再生部（ＢＤ、ＨＤＤ）１６は、例えばＢＤ（ブルーレイディスク）やＨＤＤ（ハードディスク装置）等の記録媒体を備えた大容量の録画再生装置（映像信号記録再生装置）であり、ここではコンテンツ蓄積装置Ａ（ＢＤレコーダ）１０３に構成される。録画再生部（ＢＤ、ＨＤＤ）１６はＳＳＤでも構成可能である。
【００４３】
録画再生部（ＢＤ、ＨＤＤ）１６は、トランスポートストリーム（ＴＳ）のフォーマットで送信された映像信号を連続的に受信し、受信した放送番組を録画再生部（ＢＤ、ＨＤＤ）１６で、所定の録画形式で録画する。
【００４４】
録画再生部（ＢＤ、ＨＤＤ）１６に録画された放送番組は、適宜、再生可能である。録画された映像信号の中から再生のために抽出された番組に係る映像信号は信号処理部４でデコード処理され、それぞれ音声信号と映像信号を抽出し、出力する。音声信号は音声処理部６に出力される。映像信号は映像処理部５に出力される。
【００４５】
音声処理部６は出力された音声信号にデコード処理を行い、ＨＤＭＩケーブル３０を介して映像出力デバイス（ＴＶ）１０１に出力する。また、映像出力デバイス（ＴＶ）１０１は図示しないスピーカを備え、上記デコード処理された音声信号を受信し、音声に変換して出力する。
【００４６】
映像処理部５は出力された映像信号にデコード処理を行い、表示処理部７へ出力する。表示処理部７は色や表示位置等の表示処理を行い、ＨＤＭＩケーブル３０を介して映像出力デバイス（ＴＶ）１０１に構成される表示装置（図示せず）に出力する。
【００４７】
上記のように、この実施の形態においては、コンテンツ蓄積装置Ａ（ＢＤレコーダ）１０３はＨＤＭＩ端子１７を介し、ＨＤＭＩ（登録商標）ケーブル１８ｂで映像出力デバイス（ＴＶ）１０１と接続される。
【００４８】
また、コンテンツ蓄積装置Ａ（ＢＤレコーダ）１０３は、操作受信部１９を介して、リモートコントローラやキーボード等の操作機器２０が接続され、映像出力装置１のユーザ操作が可能である。
【００４９】
また、コンテンツ蓄積装置Ａ（ＢＤレコーダ）１０３は、送受信部２１を介して、インターネット２６に接続され、インターネット通信が可能である。
図６は、実施形態に係わる電子機器で作成され、映像表示部に表示されるコンテンツリストの一例を示す図である。
この実施の形態においては、上記のように、コンテンツリストが携帯端末７０００で作成され、例えば、携帯端末７０００の映像表示部に表示される。
ユーザは、このコンテンツリストを見て、所望のコンテンツを指定することが可能である。
ここでは、例えば、上記と同様に、コンテンツリストには、「番号」１２０、「タイトル名」１２１、「ジャンル」１２２、「録画日時」１２３、録画「形式」１２４、「蓄積装置（録画機器）名」１２５が表示される。
【００５０】
例えば、ここでは、図６に示すように、１４０のコンテンツが指定される。
なお、図６に示すように、「ｕｕｉｄ」１２６、「シリアル番号（Serial No.）」１２７、「ｈｔｔｐポート」１２８、「ＡＫＥポート」１２９の情報は、一般に、ユーザには不要のため、表示されないことが多い。
【００５１】
図７は、実施形態に係わる電子機器に指示された、映像表示部に表示される指定コンテンツの再生画面の一例を示す図である。
ここでは、ユーザが、コンテンツリスト（図６）からコンテンツ１４０が指定され、携帯端末７０００は、上記のように、この指定されたコンテンツ１４０のＵＲＩを特定する。
【００５２】
また、携帯端末７０００は、この特定されたＵＲＩに対してコンテンツ１４０の配信を要求する。
そして、携帯端末７０００は、配信要求したコンテンツ１４０を再生し、携帯端末７０００や映像出力デバイス１０１の映像表示部に表示するよう指示する。
ここでは、映像出力デバイス１０１の映像表示部に「プロ野球中継」が再生表示される。また、ここでは、このコンテンツの録画情報として、7/13（日）１８：００〜２１：００  「プロ野球中継」  スポーツ  MPEG-4AVC  録画機器Ａ等が表示される。
【００５３】
図８は、実施形態に係わるコンテンツ管理サーバに、ＬＡＮ接続された複数のコンテンツ蓄積装置に蓄積されたコンテンツのコンテンツリストデータが保存されるようすを説明するフローチャートである。
【００５４】
Ｓ１００はここでの開始ステップである。続いて、ステップＳ１０１に進む。
Ｓ１０１は、コンテンツ管理サーバ１００にユーザアカウントを登録するステップである。続いて、ステップＳ１０２に進む。
Ｓ１０２は、上記アカウントに複数のコンテンツ蓄積装置（Ａ１０３、Ｂ１０４、Ｃ１０５等）を登録するステップである。続いて、ステップＳ１０３に進む。
Ｓ１０３は、各コンテンツ蓄積装置（Ａ１０３、Ｂ１０４、Ｃ１０５等）からコンテンツ管理サーバ１００にコンテンツの蓄積情報を送信するステップである。続いて、ステップＳ１０４に進む。
【００５５】
Ｓ１０４は、コンテンツ管理サーバ１００は上記コンテンツの蓄積情報を受信し、コンテンツリストデータテーブル１１０（図２、図３）を作成し、保存するステップである。続いて、ステップＳ１０５に進む。
【００５６】
Ｓ１０５は、コンテンツ蓄積装置（Ａ１０３、Ｂ１０４、Ｃ１０５等）の蓄積状況の変更を検出するステップである。コンテンツ蓄積装置（Ａ１０３、Ｂ１０４、Ｃ１０５等）の蓄積状況に変更（録画や削除、移動等）が検出される場合は、ステップＳ１０６に進む（Ｙｅｓ）。コンテンツ蓄積装置（Ａ１０３、Ｂ１０４、Ｃ１０５等）の蓄積状況に変更が検出されない場合は、ステップＳ１０５に進み、ここでの処理を繰り返す（Ｎｏ）。
【００５７】
Ｓ１０６は、上記蓄積コンテンツに変更が生じると、コンテンツ蓄積装置からコンテンツ管理サーバ１００に登録するステップである。続いて、ステップＳ１０７に進む。
【００５８】
Ｓ１０７は、コンテンツリストデータテーブル１１０（図２、図３）を更新し、保存するステップである。続いて、ステップＳ１０５に進み、上記処理を繰り返す。
図９は、実施形態に係わる電子機器の動作を説明するフローチャートである。
Ｓ２００は、ここでの開始ステップである。続いて、ステップＳ２０１に進む。
Ｓ２０１は、携帯端末７０００からコンテンツ管理サーバ１００にコンテンツリストデータ１１０を送信要求するステップである。続いて、ステップＳ２０２に進む。
【００５９】
Ｓ２０２は、コンテンツ管理サーバ１００から携帯端末７０００にコンテンツリストデータ１１０（図２、図３）を送信するステップである。続いて、ステップＳ２０３に進む。
【００６０】
Ｓ２０３は、携帯端末７０００は、コンテンツリストデータ１１０（図２、図３）を受信し、携帯端末７０００にコンテンツリスト（図６）を表示するステップである。続いて、ステップＳ２０４に進む。
【００６１】
Ｓ２０４は、ユーザはコンテンツリスト（図６）を用い、所望のコンテンツを指定するステップである。続いて、ステップＳ２０５に進む。
Ｓ２０５は、携帯端末７０００は、コンテンツリストデータ１１０（図２、図３）を用い、上記指定コンテンツの「ｕｕｉｄ（１２６）」、「シリアル番号（１２７）」等から、このＬＡＮ環境のＩＰアドレス１４１（蓄積装置番号に相当）を含む、指定コンテンツのＵＲＩを特定（図４）するステップである。続いて、ステップＳ２０６に進む。
【００６２】
Ｓ２０６は、上記指定コンテンツが著作権保護コンテンツかを検出するステップである。この著作権保護コンテンツの検出は、例えば、上記ＡＫＥポート１２９を用いる。上記指定コンテンツが著作権保護コンテンツであると検出される場合は、ステップＳ２０７に進む（Ｙｅｓ）。上記指定コンテンツが著作権保護コンテンツであると検出されない場合は、ステップＳ２０８に進む（Ｎｏ）。
【００６３】
Ｓ２０７は、ＡＫＥポート１２９を用い、ＡＫＥ（認証）処理を行うステップである。
ＡＫＥは、Authentication and Key Exchangeの略であり、例えば、ＤＴＣＰシステムでは、認証技術と鍵共有技術をまとめてＡＫＥと呼ぶ。
【００６４】
続いて、ステップＳ２０８に進む。
Ｓ２０８は、携帯端末７０００は、上記特定されたＵＲＩ（図４）に対してコンテンツのストリーム配信要求を行なうステップである。続いて、ステップＳ２０９に進む。
【００６５】
Ｓ２０９は、携帯端末７０００または映像出力デバイス１０１の映像表示部でコンテンツの再生指示を行なうステップである。続いて、ステップＳ２１０に進む。
Ｓ２１０は、終了ステップであり、ここでの処理は終了する。
上記のように、この実施の形態においては、例えば、図３に示すように、コンテンツリスト管理サーバ１００にアップロードするコンテンツリストデータ１１０のメタ情報に「ｕｕｉｄ」（機器固有のＩＤ）、「Ｓｅｒｉａｌ  Ｎｏ．」、「ｈｔｔｐポート番号」、「ＡＫＥポート番号」を構成する。
【００６６】
上記のように構成することによって、この実施の形態においては、ＬＡＮ接続可能な電子機器を用い、ＬＡＮ接続された複数の蓄積装置に蓄積されたコンテンツへのアクセス時間を低減することが可能になる。
【００６７】
上記説明は、ＤＬＮＡ（Digital Living Network Alliance）で用いられるプロトコルを対象としているが、この実施の形態においては、独自のプロトコルとして適用することも可能である。
【００６８】
また、携帯端末７０００をコンテンツ再生機器とする他に、コンテンツ再生機器はＴＶなどの別の出力デバイスに置き換えることも可能である。
その場合は、携帯端末７０００は、例えば、ＤＭＣ（デジタルメディアコントローラー）、出力デバイスはＤＭＲ（デジタルメディアレンダラー）のような３−ＢＯＸシステムとして適用することも可能である。
【００６９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００７０】
なお、上記実施形態は、記述そのものに限定されるものではなく、実施段階では、その趣旨を逸脱しない範囲で、構成要素を種々変形して具体化することが可能である。
【００７１】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００７２】
１０１…映像出力デバイス（テレビ）、１０２…ルータ、１０３…コンテンツ蓄積装置Ａ、１０４…コンテンツ蓄積装置Ｂ、１０５…コンテンツ蓄積装置Ｃ、１００…コンテンツ管理サーバ、７０００…電子機器（携帯端末）。
【図１】
2013009273.tif 000003
【図２】
2013009273.tif 000004
【図３】
2013009273.tif 000005
【図４】
2013009273.tif 000006
【図５】
2013009273.tif 000007
【図６】
2013009273.tif 000008
【図７】
2013009273.tif 000009
【図８】
2013009273.tif 000010
【図９】
2013009273.tif 000011